(57)【要約】【課題】開封時に、閉塞壁と共にガスバリア部材を容易に破断させることのできる注出口具を提供する【解決手段】注出口具１は、内部に流路を形成する注出下部１０（注出部２）を備えている。注出下部１０の下端には、流路を閉塞する閉塞壁１２が設けられるとともに、閉塞壁１２の下面には、ガスバリア部材６０が貼り付けられている。閉塞壁１２には、閉塞壁１２を破断して開口させるための引張部１４と、閉塞壁１２の破断を容易とするための環状の破断誘導部１２ａとが設けられている。閉塞壁１２において、破断誘導部にて破断されることで分離される部位には、下方に突出するとともに、その下面１６ａをガスバリア部材６０の貼り付け面とする突出部１６が設けられている。【選択図】図１
2015044621.tif 000002
【特許請求の範囲】
【請求項１】
容器に取り付けて使用される注出口具であって、
内部に流路を形成する注出部を備え、
前記注出部の下端には、前記流路を閉塞する閉塞壁が設けられるとともに、前記閉塞壁の下面には、ガスバリア部材が貼り付けられ、
前記閉塞壁には、前記閉塞壁を破断して開口させるための引張部と、前記閉塞壁の破断を容易とするための環状の破断誘導部とが設けられ、
前記閉塞壁において、前記破断誘導部にて破断されることで分離される部位には、下方に突出するとともに、その下面を前記ガスバリア部材の貼り付け面とする突出部が設けられていることを特徴とする注出口具。
【請求項２】
前記突出部は、前記破断誘導部に沿って設けられていることを特徴とする請求項１に記載の注出口具。
【請求項３】
前記突出部は、前記閉塞壁の厚み方向において、前記引張部の基端部分と重なる位置に設けられていることを特徴とする請求項１又は請求項２に記載の注出口具。
【発明の詳細な説明】
【技術分野】
【０００１】
本発明は、容器に取り付けて使用される注出口具に関する。
【背景技術】
【０００２】
従来、包装袋等の容器に取り付けて使用される注出口具として、内部に形成される流路を通じた容器内への外気の流入を抑制するように構成された注出口具が知られている。例えば、特許文献１に開示される注出口具は、筒状に形成される注出部の下端に易破断可能な閉塞壁が形成されるとともに、その閉塞壁に対してシート状のガスバリア部材が貼り付けられている。特許文献１の注出口具によれば、流路を遮断するように配置される閉塞壁及びガスバリア部材によって、流路を通じた容器内への外気の流入が抑制される。
【先行技術文献】
【特許文献】
【０００３】
【特許文献１】特開２０１２−２４６０１８号公報
【発明の概要】
【発明が解決しようとする課題】
【０００４】
特許文献１の注出口具は、開封時において、閉塞壁に設けられた引張部を操作して、閉塞壁の一部をガスバリア部材とともに破断して開口させることにより、容器内の内容物を注出することが可能な状態とされる。しかしながら、開封時において、閉塞壁のみが破断されて、ガスバリア部材は破断されることなく、流路を塞いだ状態で残存してしまうことがあった。この場合には、流路内に棒状物を差し込む等して、流路上に残存するガスバリア部材を破断させる処理を更に行う必要がある。
【０００５】
この発明は、こうした従来の実情に鑑みてなされたものであり、その目的は、開封時に、閉塞壁と共にガスバリア部材を容易に破断させることのできる注出口具を提供することにある。
【課題を解決するための手段】
【０００６】
上記の目的を達成するために請求項１に記載の注出口具は、容器に取り付けて使用される注出口具であって、内部に流路を形成する注出部を備え、前記注出部の下端には、前記流路を閉塞する閉塞壁が設けられるとともに、前記閉塞壁の下面には、ガスバリア部材が貼り付けられ、前記閉塞壁には、前記閉塞壁を破断して開口させるための引張部と、前記閉塞壁の破断を容易とするための環状の破断誘導部とが設けられ、前記閉塞壁において、前記破断誘導部にて破断されることで分離される部位には、下方に突出するとともに、その下面を前記ガスバリア部材の貼り付け面とする突出部が設けられていることを特徴とする。
【０００７】
上記構成によれば、突出部の下面に対して、より確実にガスバリア部材が貼り付けられて、突出部の下面、即ち破断誘導部にて破断されることで分離される部位に対するガスバリア部材の接着性が高められる。その結果、引張部を操作して閉塞壁を破断させる際に、ガスバリア部材が閉塞壁から剥がれ難くなって、閉塞壁と共にガスバリア部材を容易に破断させることができる。
【０００８】
上記注出口具において、前記突出部は、前記破断誘導部に沿って設けられていることが好ましい。この場合には、閉塞壁の下面において、ガスバリア部材に対して接着性の高い部位（突出部の下面）が、破断誘導部に沿って位置することになる。そのため、破断誘導部にて閉塞壁が破断される際に、閉塞壁と共にガスバリア部材も破断されやすくなる。
【０００９】
上記注出口具において、前記突出部は、前記閉塞壁の厚み方向において、前記引張部の基端部分と重なる位置に設けられていることが好ましい。この場合には、閉塞壁の下面側における引張部の基端部に対応する部位に、成型時のヒケによる凹みが生じ難くなる。これにより、閉塞壁の下面に対するガスバリア部材の接着性が更に高められる。これにより、破断誘導部にて閉塞壁が破断される際に、閉塞壁と共にガスバリア部材も破断されやすくなる。
【発明の効果】
【００１０】
本発明の注出口具によれば、開封時に、閉塞壁と共にガスバリア部材を容易に破断させることができる。
【図面の簡単な説明】
【００１１】
【図１】注出口具の断面図。
【図２】注出下部の下面図。
【図３】開封処理後の注出口具の断面図。
【図４】（ａ）は変更例の注出下部の部分断面図、（ｂ）は変更例の注出下部の部分下面図。
【図５】（ａ）は変更例の注出下部の部分断面図、（ｂ）は変更例の注出下部の部分下面図。
【図６】（ａ）は変更例の注出下部の部分断面図、（ｂ）は変更例の注出下部の部分下面図。
【図７】（ａ）は変更例の注出下部の部分断面図、（ｂ）は変更例の注出下部の部分下面図。
【発明を実施するための形態】
【００１２】
以下、本発明の注出口具を図面に基づいて説明する。
図１に示すように、注出口具１は、内部に流路を形成する注出部２を備えている。この注出部２は、共に略筒状に形成される注出下部１０と注出上部２０とを上下に組み合わせることによって構成されている。
【００１３】
注出部２の下側部分を構成する注出下部１０は、円筒状の筒壁１１と、筒壁１１の下端を閉塞する閉塞壁１２とを備える有底円筒状に形成されている。筒壁１１の外周面（側面）の上部には、注出上部２０に対する係合部位としての雄螺子１１ａが設けられている。また、筒壁１１の外周面の下部には、注出口具１を包装袋の開口部分に取り付けるための取付部１３が突設されている。取付部１３は筒壁１１から側方に突出する略菱形板状の取付上壁１３ａと同取付上壁１３ａの周縁に沿って垂下される取付側壁１３ｂとから形成され、その内部は中空状になっている。そして、中空状の取付部１３内には、取付部１３の先端から筒壁１１の外周面へ延びる架橋部１３ｃが設けられている。
【００１４】
図１及び図２に示すように、筒壁１１の下端を塞ぐ閉塞壁１２には、薄肉状に形成された破断誘導部１２ａが設けられている。破断誘導部１２ａは、閉塞壁１２の上面（内面）側から断面略Ｖ字状の溝を形成することによって薄肉状とされ、その外形は、一部が膨出した略円形（水滴形状）の環状に形成されている。破断誘導部１２ａにおける上記膨出した部分の内側位置の上面側には、破断誘導部１２ａの一部に沿うようにして引張部１４が設けられている。引張部１４は、閉塞壁１２から上方に延びる軸体１４ｂと、軸体１４ｂの上端に形成されるリング状の把持部１４ａとから構成される。
【００１５】
図１に示すように、閉塞壁１２における破断誘導部１２ａよりも外側の部分には、閉塞壁１２の上面と筒壁１１の下端側の内周面とを接続して閉塞壁１２を補強する補強部１５が設けられている。補強部１５は、中央側から筒壁１１に向かって徐々に高くなる断面略三角形状の厚肉部として形成され、閉塞壁１２における破断誘導部１２ａよりも外側の部分の全体に設けられている。
【００１６】
図１及び図２に示すように、閉塞壁１２における破断誘導部１２ａの内側に位置する部分（破断誘導部１２ａに囲まれる部位）には、下方側に突出する突出部１６が設けられている。突出部１６は、破断誘導部１２ａに沿って、破断誘導部１２ａの内側に位置する部分の全体に形成されている。したがって、突出部１６の一部は、閉塞壁１２の厚み方向（上下方向）において、引張部１４の軸体１４ｂの基端部分と重なる位置に形成されている。また、突出部１６の下面１６ａは平らに形成されて、後述するガスバリア部材６０を貼り付けるための貼り付け面となっている。
【００１７】
図１に示すように、注出部２の上側部分を構成する注出上部２０は、下端側が開放されるとともに、上端側が上壁２１によって塞がれた有蓋円筒状に形成されている。注出上部２０の上壁２１は、その外周側部分に平面部２２が形成されるとともに、その中央部分に、上方に向かって膨出するドーム状の膨出部２３が形成されている。そして、膨出部２３の頂点となる中央位置には略円筒状の注出口２４が設けられている。
【００１８】
注出上部２０の内周面には注出下部１０に対する係合部位としての雌螺子２５が設けられている。また、上壁２１における膨出部２３の下面（内面）には、注出口２４を中心とする環状の支持壁２６が設けられている。支持壁２６は、注出下部１０の雄螺子１１ａと注出上部２０の雌螺子２５とを係合させた際に、注出下部１０に設けられる引張部１４の把持部１４ａの内側に収容されるように形成されている。
【００１９】
支持壁２６内における上部位置には、弾性変形可能な軟質の合成樹脂材料（例えば、シリコーンゴム）、又は天然ゴムにより形成されたスイング型の逆止弁３０が取り付けられている。そして、支持壁２６内における下部位置には、逆止弁３０の脱落を防止するための脱落防止部材４０が取り付けられている。
【００２０】
また、注出上部２０にはヒンジ５１を介してキャップ部５０が取り付けられている。キャップ部５０はヒンジ５１を基点として、上壁２１の膨出部２３を覆う閉位置と同膨出部２３を露出させる開位置との間で回動する。キャップ部５０の上部内面には、キャップ部５０を閉位置に位置させたときに注出口２４に挿入されて注出口２４を塞ぐ挿入突起５２が設けられている。
【００２１】
なお、注出口具１における逆止弁３０以外の部位（取付部１３、注出下部１０、注出上部２０、キャップ部５０、及び脱落防止部材４０）には、スパウト等の注出口具に一般に使用される公知の合成樹脂材料を用いることができる。公知の合成樹脂材料としては、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸メチル共重合体、エチレン−プロピレン共重合体等の熱可塑性樹脂が挙げられる。
【００２２】
図１に示すように、注出下部１０の下面にはシート状のガスバリア部材６０が貼り付けられている。具体的には、突出部１６の下面１６ａを含む閉塞壁１２の下面、筒壁１１の下端縁、及び取付部１３の下端縁に対して、ガスバリア部材６０が貼り付けられている。ガスバリア部材６０としては、例えば、アルミニウム箔層、エチレンビニル−アルコール共重合体層、セラミック蒸着フィルム層等をガスバリア層として有する多層樹脂シートを用いることができる。なお、図２においては、ガスバリア部材６０の図示を省略している。
【００２３】
次に、本実施形態の注出口具１の使用方法について記載する。
本実施形態の注出口具１は、液体状の内容物を収容する容器（例えば、樹脂シートにより袋状に形成された包装袋）の開口部に取り付けて使用される。注出口具１を取り付けた容器においては、注出下部１０の下面に貼り付けられたガスバリア部材６０によって、注出口具１を通じた容器内への酸素等の外気の侵入が抑制される。
【００２４】
そして、注出口具１は以下に記載する開封処理を行うことによって、容器内から内容物を注出可能な状態とされる。先ず、注出上部２０を回転させて注出上部２０及びキャップ部５０を注出下部１０から取り外す。これにより、引張部１４の把持部１４ａが注出下部１０の上部開口から露出されて、把持部１４ａを容易に把持することができる状態となる。そして、把持部１４ａを把持して上方に引っ張ることにより、閉塞壁１２の破断誘導部１２ａ及びガスバリア部材６０を引き裂いて注出下部１０の下端を開口させる。その後、注出上部２０及びキャップ部５０を注出下部１０に取り付けることにより、注出口具１は図３に示す開封状態となる。
【００２５】
図３に示すように、開封後の注出口具１のキャップ部５０を開けて容器を傾けると、容器内の内容物は注出下部１０内の流路を通過して逆止弁３０に達する。そして、内容物の注出圧が逆止弁３０に作用すると、内容物に押圧されて逆止弁３０が閉位置から開位置へ回動して内容物の通過が許容される状態となり、注出口２４から内容物が注出される。また、容器を傾けた状態から元の状態に戻すと、逆止弁３０は開位置から閉位置に戻る。これにより、開封後においては、注出上部２０に取り付けられた逆止弁３０によって、注出口具１を通じた容器内への酸素等の外気の侵入が抑制される。
【００２６】
次に、本実施形態の作用について記載する。
図１に示すように、注出下部１０の閉塞壁１２において、破断誘導部１２ａの内側に位置する部位には、下方に突出するとともに、その下面１６ａをガスバリア部材６０の貼り付け面とする突出部１６が設けられている。そして、突出部１６の下面１６ａを含む注出下部１０の下面全体に、シート状のガスバリア部材６０が貼り付けられている。
【００２７】
ここで、ガスバリア部材６０の貼り付けには、例えば、表面に接着剤を塗布したガスバリア部材６０を注出下部１０の下面に押し付けて貼り付ける方法や、表面に熱融着層を有するガスバリア部材６０を注出下部１０の下面に押し付けた状態で加熱し、ガスバリア部材６０を熱溶着させて貼り付ける方法が採用される。
【００２８】
このとき、注出下部１０の下面において、突出部１６は下方に突出して形成されているため、他の部位と比較して高い圧力をもってガスバリア部材６０が押し付けられることになる。これにより、突出部１６の下面１６ａに対して、より確実にガスバリア部材６０が貼り付けられて、突出部１６の下面１６ａ、即ち破断誘導部１２ａの内側に位置して、破断誘導部１２ａにて破断されることで分離される部位に対するガスバリア部材６０の接着性が高められる。その結果、引張部１４を操作して閉塞壁１２を破断させる際に、ガスバリア部材６０が閉塞壁１２から剥がれ難くなって、閉塞壁１２と共にガスバリア部材６０を容易に破断させることができる。
【００２９】
次に、本実施形態の効果について記載する。
（１）注出口具１は、内部に流路を形成する注出下部１０（注出部２）を備えている。注出下部１０の下端には、流路を閉塞する閉塞壁１２が設けられるとともに、閉塞壁１２の下面には、ガスバリア部材６０が貼り付けられている。閉塞壁１２には、閉塞壁１２を破断して開口させるための引張部１４と、閉塞壁１２の破断を容易とするための環状の破断誘導部１２ａとが設けられている。閉塞壁１２において、破断誘導部にて破断されることで分離される部位には、下方に突出するとともに、その下面１６ａをガスバリア部材６０の貼り付け面とする突出部１６が設けられている。
【００３０】
上記構成によれば、突出部１６において、閉塞壁１２の下面に対するガスバリア部材６０の接着性が高められる。そのため、開封時に、ガスバリア部材６０を容易に破断させることができる。
【００３１】
（２）突出部１６は、破断誘導部１２ａに沿って設けられている。上記構成によれば、閉塞壁１２の下面において、ガスバリア部材６０に対して接着性の高い部位（突出部１６の下面１６ａ）が、破断誘導部１２ａに沿って位置することになる。そのため、破断誘導部１２ａにて閉塞壁１２が破断される際に、閉塞壁１２と共にガスバリア部材６０も破断されやすくなる。
【００３２】
（３）突出部１６は、閉塞壁１２における破断誘導部１２ａの内側全体に形成されて、閉塞壁１２の厚み方向において、引張部１４の基端部分と重なる位置にも突出部１６が位置している。
【００３３】
閉塞壁１２において、引張部１４の基端部分が接続される部位は、他の部位よりも厚く形成されるために、その下面側に成型時のヒケによる凹みが生じやすい。そして、閉塞壁１２の下面に上記凹みが生じると、下面の平坦性が損なわれて、ガスバリア部材６０の接着性が低下する要因となる。これに対して、上記構成によれば、閉塞壁１２における破断誘導部１２ａの内側全体が突出部１６により厚く形成されることで、引張部１４の基端部分が接続される部位とその周囲の部位との間の厚みの差が縮小されて、成型時のヒケによる凹みが生じ難くなる。その結果、閉塞壁１２に対するガスバリア部材６０の接着性の低下が抑制される。
【００３４】
特に、閉塞壁１２において、引張部１４の基端部分が接続される部位は、開封時に引っ張り力が直接的に作用する部位である。そのため、この部位に対してガスバリア部材６０が十分に接着させることにより、開封時に、閉塞壁１２に追従してガスバリア部材６０も引っ張られるようになり、閉塞壁１２と共にガスバリア部材６０を容易に破断させることができる。
【００３５】
（４）引張部１４の基端部分は、破断誘導部１２ａに沿って設けられるとともに、閉塞壁１２の厚み方向において、引張部１４の基端部分と重なる位置に突出部１６が設けられている。
【００３６】
引張部１４の基端部分を破断誘導部１２ａに沿って設けた場合には、閉塞壁１２における引張部１４の基端部分が接続される部位が、開封時における破断開始点となる。そのため、この部位に突出部１６を設けて、ガスバリア部材６０に対する接着性を高めることにより、より容易にガスバリア部材６０を破断させることができる。
【００３７】
（５）閉塞壁１２における破断誘導部１２ａよりも外側の部分には、閉塞壁１２の上面と筒壁１１の下端側の内周面とを接続して閉塞壁１２を補強する補強部１５が設けられている。
【００３８】
上記構成によれば、開封時にガスバリア部材６０を滑らかに破断させることができる。つまり、補強部１５によって閉塞壁１２の外周部分（破断後に残存する部位）の強度が高められて、開封時において、引張部１４を上方に引っ張った際に、閉塞壁１２全体が上方に膨らむように変形することが抑制される。これにより、閉塞壁１２及びガスバリア部材６０に歪みの少ない状態で、ガスバリア部材６０を破断させることができる。その結果、ガスバリア部材６０の破断部分を滑らかな形状にすることができる。なお、ガスバリア部材６０の破断部分が凹凸の少ない滑らかな形状となることによって、注出下部１０を流れる内容物とガスバリア部材６０の破断部分とが干渉し難くなり、注出下部１０内を内容物が良好に流れるようになる。
【００３９】
なお、上記実施形態は、次のように変更して具体化することも可能である。また、次の変更例を互いに組み合わせ、その組み合わせの構成のように上記実施形態を変更することも可能である。
【００４０】
・  破断誘導部１２ａの構成は、適宜、変更することができる。例えば、上記実施形態では、閉塞壁１２を部分的に薄く形成することにより薄肉状の破断誘導部１２ａを設けていたが、ミシン目状の連続する孔からなる破断誘導部１２ａとしてもよい。また、破断誘導部１２ａは、Ｃリング状（切れ目のある環状）に形成されていてもよい。
【００４１】
・  突出部１６は、上記実施形態の構成に限定されるものではなく、閉塞壁１２において、破断誘導部１２ａにて破断されることで分離される部位に形成されるものであれば、その具体的構成は適宜、変更することができる。例えば、図４〜図７に示すように、上記分離部分に対して部分的に単数又は複数の突出部１６が設けられていてもよい。
【００４２】
図４に示す例では、破断誘導部１２ａに沿って環状に突出部１６を形成している。この場合にも、上記実施形態と同様の効果を得ることができる。
図５に示す例では、閉塞壁１２の厚み方向において、引張部１４の基端部分と重なる位置にのみ、突出部１６を形成している。この場合には、上記（１），（４）の効果を得ることができる。また、この場合、引張部１４に起因する成型時のヒケは、突出部１６全体に生じることになる。そのため、ヒケが生じたとしても、その影響は、閉塞壁１２から突出する突出部１６の下面１６ａ全体に作用し、部分的な凹みは生じ難くなる。
【００４３】
図６に示す例では、閉塞壁１２の厚み方向において、引張部１４の基端部分と重なる位置に突出部１６を設けるとともに、他の部位にも縦縞状に複数の突出部１６を設けている。この場合にも、上記（１），（４）の効果を得ることができる。
【００４４】
図７に示す例では、閉塞壁１２の厚み方向に見た場合に、破断誘導部１２ａよりも一回り小さい大きさとなるように突出部１６を形成している。この場合にも、上記（１），（４）の効果を得ることができる。
【００４５】
また、上記実施形態及び図４〜図７に示す例では、閉塞壁１２の厚み方向において、引張部１４の基端部分と重なる位置に突出部１６を設けていたが、同位置に突出部１６が設けられていなくてもよい。
【００４６】
・  ガスバリア部材６０に対して、ハーフカットやミシン目等の破断誘導部を設けてもよい。この場合には、ガスバリア部材６０をより容易に破断させることができる。
・  引張部１４を引っ張って破断される部位は閉塞壁１２の一部であってもよいし、閉塞壁１２全体であってもよい。閉塞壁１２全体を破断する場合には、破断誘導部１２ａを注出下部１０の内周面に沿って形成すればよい。
【００４７】
・  補強部１５は、上記実施形態の構成に限定されるものではなく、閉塞壁１２における破断後に残存する部位と筒壁１１に接続されて、閉塞壁１２を補強可能な構成であればよい。例えば、閉塞壁１２の上面と筒壁１１の下端側の内周とを接続する複数のリブであってもよい。
【００４８】
・  注出部２は、破断誘導部１２ａ、引張部１４、及び突出部１６を有する閉塞壁１２を備えるものであれば、その他の構成は必要に応じて変更することができる。例えば、補強部１５や逆止弁３０等を省略してもよい。
【００４９】
・  注出部２を一の部材から形成してもよい。例えば、注出上部２０を省略して、注出下部１０のみから注出部２を構成する。そして、注出下部１０にヒンジを介してキャップ部を取り付ける構成や、スクリューキャップ等のキャップ部材が注出下部１０に取り付けられる構成としてもよい。また、分離及び組立可能な三以上の部材から注出部２を形成してもよい。
【００５０】
・  本発明の注出口具１は、樹脂シートにより袋状に形成された包装袋に限らず、紙製の容器等、様々な容器に適用することができる。その場合、取付部１３については、容器の形態に合わせて適宜変更が可能である。また、取付部１３を省略してもよい。
【００５１】
次に、上記実施形態及び変更例から把握できる技術的思想について記載する。
（イ）前記突出部は、前記破断誘導部の内側全体に設けられている前記注出口具。
（ロ）前記注出部は、注出口が設けられる注出上部と、前記容器を取り付けるための取付部が設けられる注出下部とに分離可能に構成され、前記注出下部の下端に前記閉塞壁が設けられている前記注出口具。
【符号の説明】
【００５２】
１…注出口具、２…注出部、１０…注出下部、１１…筒壁、１２…閉塞壁、１２ａ…破断誘導部、１３…取付部、１４…引張部、１５…補強部、１６…突出部、３０…逆止弁、４０…脱落防止部材、６０…ガスバリア部材。
【図１】
2015044621.tif 000003
【図２】
2015044621.tif 000004
【図３】
2015044621.tif 000005
【図４】
2015044621.tif 000006
【図５】
2015044621.tif 000007
【図６】
2015044621.tif 000008
【図７】
2015044621.tif 000009